(57)【特許請求の範囲】
【請求項１】
プレストレス部材に接触するように緊張材を配置する第一工程と、
前記緊張材の少なくとも一部を振動させながら、前記緊張材に緊張力を付与する第二工程と、
を備え、
前記第一工程において、前記緊張材は前記プレストレス部材の軸方向に延設し且つ前記軸方向と直交する方向に傾斜するように配置し、
前記第二工程において、前記緊張材の少なくとも変曲点又は変曲点の近傍に振動を与えるプレストレス導入方法。
【請求項２】
プレストレス部材に接触するように緊張材を配置する第一工程と、
前記緊張材の少なくとも一部を振動させながら、前記緊張材に緊張力を付与する第二工程と、
を備え、
前記第二工程において、前記緊張材の振動数が、前記緊張材の固有振動数と一致又は略一致するように前記緊張材を振動させるプレストレス導入方法。
【発明の詳細な説明】
【技術分野】
【０００１】
本発明は、緊張材のプレストレス導入方法、及びプレストレス導入装置に関する。
【背景技術】
【０００２】
放送用タワーや風力発電用風車における支持タワー等のような比較的背の高い塔状構造物においては、鋼製のタワーが多く用いられているが、鉄筋コンクリート製の塔状構造物も提案されている。鉄筋コンクリート製の塔状構造物では、地震や風等によって大きな曲げモーメントが作用した場合に、この曲げモーメントに起因して引張応力が発生する部分にコンクリートのひび割れが生じることが危惧される。
【０００３】
このようなコンクリートのひび割れを抑制する対策としては、塔状構造物を形成するコンクリートにプレストレスを導入する方法が一般に効果的とされている。
【０００４】
しかし、ＰＣ鋼線にプレストレスを導入する際には、ＰＣ鋼線の引張力が減少し、想定通りのプレストレスを導入することができない場合がある。このように引張力の減少が生じる主な原因としては、ＰＣ鋼線に緊張力を付与する際におけるＰＣ鋼線が当接する部位との摩擦による損失による引張力の減少の影響が大きいとされている。
【０００５】
また、特許文献１には、ＰＣ鋼線をシース管に挿入する際に振動を加える技術が開示されている。
【先行技術文献】
【特許文献】
【０００６】
【特許文献１】特開昭６３―２３６８６３号公報
【発明の概要】
【発明が解決しようとする課題】
【０００７】
ここで、摩擦損失による緊張材の引張力の減少を効果的に抑制することが求められている。
【０００８】
本発明は、摩擦損失による緊張材の引張力の減少を効果的に抑制することが課題である。
【課題を解決するための手段】
【０００９】
請求項１の発明は、プレストレス部材に接触するように緊張材を配置する第一工程と、前記緊張材の少なくとも一部を振動させながら、前記緊張材に緊張力を付与する第二工程と、を備え、前記第一工程において、前記緊張材は前記プレストレス部材の軸方向に延設し且つ前記軸方向と直交する方向に傾斜するように配置し、前記第二工程において、前記緊張材の少なくとも変曲点又は変曲点の近傍に振動を与える。
【００１０】
請求項１の発明では、緊張材の少なくとも一部を振動させながら、緊張材に緊張力を付与するので、緊張材を振動させないで緊張力を付与する方法と比較し、緊張力付与時における緊張材が接触する被接触部面との間に発生する摩擦が低減され、その結果、緊張材の引張力の減少が抑制される。また、緊張材の少なくとも、摩擦損失が大きい変曲点又は変曲点の近傍に振動を与えるので、効果的に緊張材の引張力の減少が抑制する。
【００１１】
請求項２の発明は、プレストレス部材に接触するように緊張材を配置する第一工程と、前記緊張材の少なくとも一部を振動させながら、前記緊張材に緊張力を付与する第二工程と、を備え、前記第二工程において、前記緊張材の振動数が、前記緊張材の固有振動数と一致又は略一致するように前記緊張材を振動させる。
【００１２】
請求項２の発明では、緊張材の少なくとも一部を振動させながら、緊張材に緊張力を付与するので、緊張材を振動させないで緊張力を付与する方法と比較し、緊張力付与時における緊張材が接触する被接触部面との間に発生する摩擦が低減され、その結果、緊張材の引張力の減少が抑制される。また、緊張材の振動数を緊張材の固有振動数と一致又は略一致するように緊張材を振動させることで、緊張材が共振する。緊張材が共振することで、緊張材の振幅が大きくなる。よって、緊張材の振動数が緊張材の固有振動数と一致又は略一致していない方法と比較し、摩擦が効果的に低減され、その結果、緊張材の引張力の減少が効果的に抑制する。
【発明の効果】
【００１７】
以上説明したように本発明によれば、摩擦損失による緊張材の引張力の減少を効果的に抑制することができる。
【図面の簡単な説明】
【００１８】
【図１】本発明が適用されて構築された塔状構造物を示す立面図である。
【図２】図１に示す塔状構造物を構成する塔状構造体を示す斜視図である。
【図３】図２に示す塔状構造体の挿入孔を示す説明図である。
【図４】図２に示す塔状構造体の構築方法を示す説明図であり、（Ａ）は塔状構造体の挿入孔へのＰＣ鋼線の挿入を説明する斜視図であり、（Ｂ）は塔状構造体へのプレストレスの導入を説明する斜視図である。
【図５】（Ａ）はプレストレス導入装置装とプレストレス導入装置を持いて塔状構造体にプレストレスを導入する方法とを説明する説明図であり、（Ｂ）は緊張ジャッキを振動させるジャッキ振動装置を説明する説明図である。
【図６】第一実施例の振動装置をＰＣ鋼線の軸方向に見た概略構成図である。
【図７】第二実施例の振動装置をＰＣ鋼線の軸方向に見た概略構成図である。
【図８】第三実施例の振動装置を（Ａ）はＰＣ鋼線の軸方向と直交する方向に見た概略構成図であり、（Ｂ）はＰＣ鋼線の軸方向に見た概略構成図である。
【図９】本発明を適用してプレストレスを導入する梁を示す模式図である。
【図１０】本発明を適用してプレストレスを導入する梁を示す模式図である。
【図１１】ＰＣ鋼線の摩擦損失を説明するための、（Ａ）は引張力を求める数式を示し、（Ｂ）及び（Ｃ）は（Ａ）の数式の記号を説明するための説明図である。
【図１２】ＰＣ鋼線の振動数を確認する方法を説明するための、（Ａ）はＰＣ鋼線の加速度波形又は変位波形を示すグラフであり、（Ｂ）は（Ａ）の加速度又は変位をフーリエ変換することによって算出される加速度スペクトル又は変位スペクトルを示すグラフである。
【発明を実施するための形態】
【００１９】
＜実施形態＞
図１〜図５、図１１、図１２を用いて、本発明が適用されて構築された塔状構造物について説明する。
【００２０】
図１に示すように、本実施形態の塔状構造物１０は、鉄筋コンクリート製の直立する塔状構造体１００の上に、ブレード１６及びナセル１８を備える風車２０が設けられた風力発電用タワーとされている。
【００２１】
プレストレス部材の一例としての直立する塔状構造体１００は、地盤１４に基礎杭２４を介して支持された基礎１３０上に構築されている。塔状構造体１００は、複数のプレキャストコンクリートユニット１０４が積み上げて構成されている。
【００２２】
図２に示すように、プレキャストコンクリートユニット１０４は、一定の壁厚を有する円筒状の構造体であり、鉄筋コンクリートによって形成されている。
【００２３】
各プレキャストコンクリートユニット１０４の壁内部には、塔状構造体１００の軸１０６を中心にして螺旋状にシース管１０８が配置され、このシース管１０８により貫通孔１１０が形成されている。また、各プレキャストコンクリートユニット１０４の外壁面上には、台形横断面を有する角柱状の突起部１１２がコンクリートによって形成されている。この突起部１１２は、塔状構造体１００の軸１０６を中心にして螺旋状に設けられている。突起部１１２の内部には、突起部１１２の軸方向に沿ってシース管１１４が配置されており、このシース管１１４により貫通孔１１６が形成されている。
【００２４】
そして、図３に示すように、各プレキャストコンクリートユニット１０４を所定の平面配置で積み上げたときに、これらの貫通孔１１０、１１６はそれぞれ１つに繋がり、塔状構造体１００の軸１０６を中心にして螺旋状に連通する１つの挿入孔１１８、１２０となる。また、挿入孔１１８と挿入孔１２０とは、互いに反対方向に旋回する。つまり、挿入孔１１８は矢印１２２の方向に旋回し、挿入孔１２０は矢印１２４の方向に旋回している。なお、図３では、挿入孔１１８と挿入孔１２０との相対関係をわかり易くするために、挿入孔１１８と挿入孔１２０の螺旋の回転半径を実際よりも大きく異ならせて図示されている。
【００２５】
図４（Ａ）に示すように、挿入孔１１８、１２０に、緊張材としてのＰＣ鋼線１３２、１３４が挿入される。よって、ＰＣ鋼線１３２、１３４は、挿入孔１１８、１２０と同様に、塔状構造体１００の軸１０６を中心にして螺旋状に配置される。また、ＰＣ鋼線１３２、１３４は、互いに反対方向に旋回するように配置される。つまり、ＰＣ鋼線１３２は、矢印１２２の方向に旋回し、ＰＣ鋼線１３４は、矢印１２４の方向に旋回する。
【００２６】
言い換えると、ＰＣ鋼線１３２、１３４は、塔状構造体１００の軸１０６方向に延設し且つ軸１０６方向と直交する周方向に傾斜するように配置される。
【００２７】
プレストレス導入装置２００（図５（Ａ）参照）によって、ＰＣ鋼線１３２、１３４を振動させながら（詳細は後述する）、ＰＣ鋼線１３２、１３４の一端を緊張ジャッキ１３６（図４（Ｂ）、図５（Ａ）も参照）で引っ張ってＰＣ鋼線１３２、１３４に緊張力を加え、ＰＣ鋼線１３２、１３４に緊張力が加えられた状態を保持するように、定着具（不図示）によってＰＣ鋼線１３２、１３４の両端が定着されている。
【００２８】
このようにＰＣ鋼線１３２、１３４によって塔状構造体１００の螺旋方向、すなわち上下方向と周方向とにプレストレスが導入される。また、プレストレスによってプレキャストコンクリートユニット１０４同士が圧着接合され、積み上げられたプレキャストコンクリートユニット１０４が一体化され塔状構造体１００が構築される。
【００２９】
ＰＣ鋼線１３２，１３４により上下方向に導入されたプレストレスによって、地震や風等によって塔状構造体１００に作用する曲げモーメントに起因して発生する曲げ引張応力が低減される。また、ＰＣ鋼線１３２，１３４により周方向に導入されたプレストレスによって、塔状構造体１００が周方向に拘束されることによるコンファインド効果が発揮され、塔状構造体１００の圧縮耐力、曲げ耐力、変形性能が向上する。そして、これらのプレストレスの導入効果により、曲げ破壊が起きにくいコンクリート製の塔状構造体１００が構築される。
【００３０】
なお、本実施形態における塔状構造体１００のＰＣ鋼線１３２，１３４によるプレストレスの導入は、コンクリートが固まった後にプレストレスを導入するポストテンション方式である。
【００３１】
つぎに、図５（Ａ）に示すプレストレス導入装置２００と、プレストレス導入装置２００によってＰＣ鋼線１３２、１３４を振動させながらＰＣ鋼線１３２，１３４に緊張力を付与し、塔状構造体１００にプレストレスを導入する工程と、について説明する。
【００３２】
図５（Ａ）に示すように、プレストレス導入装置２００は、ＰＣ鋼線１３２，１３４に緊張力を付与する緊張力付与手段の一例としての緊張ジャッキ１３６と、ＰＣ鋼線１３２，１３４を振動させる振動手段の一例としての振動装置２１０と、を含んで構成されている。
【００３３】
緊張ジャッキ１３６は、既存の構成であるので説明を省略する。振動装置２１０は、バイブレータ等の振動源とされ、ＰＣ鋼線１３２，１３４に当接させることで、ＰＣ鋼線１３２、１３４が振動する。
【００３４】
この振動装置２１０で、ＰＣ鋼線１３２，１３４の一部（振動装置２１０が当接した部位及びその近傍）を振動させながら、緊張ジャッキ１３６でＰＣ鋼線１３２，１３４を引っ張り、ＰＣ鋼線１３２，１３４に緊張力を付与する（図４（Ｂ）も参照）。
【００３５】
また、ＰＣ鋼線１３２，１３４の振動数が、ＰＣ鋼線１３２，１３４の固有振動数と一致又は略一致するように、振動装置２１０はＰＣ鋼線１３２，１３４を振動させる。
【００３６】
なお、振動装置２１０をＰＣ鋼線１３２，１３４に当接させる方法は、どのような方法であってもよい。例えば、塔状構造体１００の壁面に、ＰＣ鋼線１３２，１３４が露出する穴を予め形成しておき、そこから振動装置２１０を挿入するようにしてもよい。また、プレストレスを導入したあとに、この穴を埋めてもよい。或いは、振動装置２１０を塔状構造体１００（プレキャストコンクリートユニット１０４）に予め埋め込んでおいてもよい。
【００３７】
＜作用及び効果＞
つぎに、本実施形態の作用及び効果を説明する。
【００３８】
ＰＣ鋼線１３２，１３４が挿入孔１１８、１２０（図２、図３等を参照）の内周面と接触した部位の摩擦によってＰＣ鋼線１３２，１３４の引張応力が損失する。この摩擦損失によるＰＣ鋼線の引張応力は、図１０に示す数式から計算することができる。そして、この数式から、例えば、角度変化が３０°で摩擦係数μが０．３のとき、引張応力が約１０％減少することがわかる。つまり、摩擦損失によってＰＣ鋼線１３２、１３４の引張力が減少し、塔状構造体１００に導入されるプレストレスが低下する。
【００３９】
本実施形態では、ＰＣ鋼線１３２，１３４の一部を振動させることで、ＰＣ鋼線１３２、１３４が振動している部位と接触する挿入孔１１８，１２０の内周面との摩擦抵抗が低減する（図１０の数式の摩擦係数μが小さくなる）。そして、この状態でＰＣ鋼線１３２，１３４に緊張ジャッキ１３６で緊張力を付与することで、摩擦損失によるＰＣ鋼線１３２，１３４の引張力の減少が抑制される。つまり、ＰＣ鋼線１３２，１３４を振動させない場合と比べ、引張応力が大きくなり、塔状構造体１００に導入されるプレストレスが大きくなる。
【００４０】
さて、図１１から、ＰＣ鋼線の角度変化が大きいところほど摩擦損失が大きくなることが判る。本実施形態では螺旋状にＰＣ鋼線１３２，１３４が配置されており、平面視においてＰＣ鋼線１３２，１３４は円形状に湾曲され配置されている。つまり、ＰＣ鋼線１３２，１３４は変曲点が連続したように配置されているともいえる。そして、角度変化の大きい変曲点が連続した配置は摩擦損失が大きいので、螺旋状にＰＣ鋼線１３２，１３４を配置した構成に本発明を適用することは好適である。
【００４１】
また、ＰＣ鋼線１３２，１３４の固有振動数と一致又は略一致するようにＰＣ鋼線１３２，１３４を振動させることで、ＰＣ鋼線１３２，１３４が共振する。ＰＣ鋼線１３２，１３４が共振することで、ＰＣ鋼線１３２，１３４の振動の振幅が大きくなる。よって、ＰＣ鋼線１３２，１３４が振動している部位と接触する挿入孔１１８，１２０の内周面との摩擦抵抗が大きく低減する。よって、ＰＣ鋼線１３２，１３４の引張力の減少が効果的に抑制する。つまり、塔状構造体１００に導入されるプレストレスが更に大きくなる。
【００４２】
なお、ＰＣ鋼線１３２，１３４が共振する振動数は、各種条件から算出し、算出結果に基づいて振動装置２１０の振動数を求めてもよいが、実際のＰＣ鋼線１３２，１３４の振動数を確認して行ってもよい。よって、つぎに、ＰＣ鋼線１３２，１３４が共振する振動数の確認方法の例を二つ説明する。
【００４３】
[ＰＣ鋼線の振動数の確認]
まず、加速度センサや変位センサをＰＣ鋼線１３２，１３４に設ける。そして、ＰＣ鋼線１３２，１３４を引っ張り、ＰＣ鋼線１３２，１３４に緊張力を付与しつつ、振動数を変えながら振動させる。
【００４４】
[第一の方法]
第一の方法は、加速度センサや変位センサの値が最も大きくなる振動数を、固有振動数（共振振動数）とする。
【００４５】
[第二の方法]
第二の方法は、図１１（Ａ）に示すＰＣ鋼線１３２，１３４の微動による加速度波形や変位波形を、フーリエ変換して、図１１（Ｂ）に示す加速度スペクトルまたは変位スペクトルを算出する。そして、加速度スペクトルまたは変位スペクトルの値が最も大きくなる振動数（図１１（Ｂ）のＰ）を読み取り固有振動数（共振振動数）とする。
【００４６】
＜振動装置の他の実施例＞
第一実施形態では、振動手段の一例としての振動装置２１０は、バイブレータ等の振動源とし、振動装置２１０をＰＣ鋼線１３２，１３４に接触させてＰＣ鋼線１３２，１３４を振動させていたが、これに限定されない。
【００４７】
振動装置２１０を、ＰＣ鋼線１３２，１３４でなく、ＰＣ鋼線１３２，１３４が接触する被接触部に、例えば上記実施形態ではシース管１１４に接触させ、シース管１１４（被接触部）側を振動させてもよい。
【００４８】
或いは、緊張ジャッキ１３６を振動させてもよい。例えば、図５（Ｂ）に示すように、緊張ジャッキ１３６を振動させるジャッキ振動装置１３９を設けてもよい。ジャッキ振動装置１３９は、どのような構成であってもよい。或いは、振動装置２１０を緊張ジャッキ１３６に当接させて振動させてもよい。
【００４９】
また、振動装置２１０以外の装置であってもよい。よって、つぎに、振動装置の他の実施例について説明する。なお、以下に説明する振動装置は、塔状構造体１００の壁面に、これらの装置を配置する空間や穴を予め形成しておき、そこに装置を配置し、プレストレスを導入したあとに、空間や穴を埋める構成とすればよい。或いは、振動装置を塔状構造体１００（プレキャストコンクリートユニット１０４）に予め埋め込んでおいてもよい。
【００５０】
[第一実施例]
図６に示す第一実施例の振動装置３００は、リング部材３０２、リング部材３０２に設けられた永久磁石３０４、及び回転駆動機構３０６を有している。リング部材３０２は、ＰＣ鋼線１３２，１３４の回りに設けられている。そして、回転駆動機構３０６は、ＰＣ鋼線１３２，１３４を保持すると共にＰＣ鋼線１３２，１３４の軸心Ｊを回転中心として回転（矢印Ｋ）させる。
【００５１】
そして、リング部材３０２が回転することによって、ＰＣ鋼線１３２，１３４が永久磁石３０４に引っ張られ、回転するように振動する。なお、リング部材３０２の回転速度を変えることで振動数を変えることができる。
【００５２】
なお、リング部材３０２の回転中心を、ＰＣ鋼線１３２，１３４の軸心Ｊとずらして偏心させてもよい。
【００５３】
[第二実施例]
図７に示す第二実施例の振動装置３１０は、電磁石３１２，３１４と電源３１６とを有している。電磁石３１２、３１４は、磁性材料の芯３１２Ａ，３１４Ａのまわりにコイル３１２Ｂ，３１４Ｂが巻かれた構成となっている。コイル３１２Ｂ、３１４Ｂは電源３１６によって通電される。
【００５４】
ＰＣ鋼線３１２，３１４の軸芯Ｊと直交する方向の一方側と他方側とに、電磁石３１２，３１４とが配置されている。そして、電源３１６は、これら電磁石３１２と電磁石３１４とを交互に通電させることで、ＰＣ鋼線１３２，１３４が軸芯Ｊと直交する方向に振動する。
【００５５】
なお、コイル３１２Ｂ，３１４Ｂに交互に通電させるタイミングを調整することで、ＰＣ鋼線１３２，１３４の振動数を調整することができる。また、コイル３１２Ｂ，３１４Ｂに流す電流の大きさ、つまり磁力の大きさを調整することで、ＰＣ鋼線１３２，１３４の振動の振幅を調整することができる。
【００５６】
[第三実施例]
図８に示す第三実施例の振動装置３２０は、永久磁石３２２、３２４と、交流電源３２６と、を有している。
【００５７】
永久磁石３２２，３２４は、ＰＣ鋼線１３２，１３４の軸方向と直交する方向の近傍に、Ｎ極とＳ極とが対向するように配置されている。また、交流電源３２６は、ＰＣ鋼線１３２，１３４に軸方向に交流電流を流す。
【００５８】
永久磁石３２２，３２４によって、磁力線Ｇが図のように形成される。ＰＣ鋼線１３２，１３４に軸方向に交流電流を流すと、電流Ｉ１と電流Ｉ２とが交互に流れる。
【００５９】
これにより、図８（Ｂ）に示すように、フレミングの法則によって、ＰＣ鋼線１３２，１３４には、磁力線Ｇと直交する方向の力Ｆ１と力Ｆ２とが交互にかかり、ＰＣ鋼線１３２，１３４が振動する。
【００６０】
なお、ＰＣ鋼線１３２，１３４に流す交流の周波数を調整することで、ＰＣ鋼線１３２，１３４の振動の振動数を調整することができる。更に、ＰＣ鋼線１３２，１３４に流す電流の大きさを調整することで、振動の振幅を調整することができる。
【００６１】
＜その他＞
上記実施形態では、ＰＣ鋼線１３２，１３４をシース管１１４（挿入孔１１８，１２０）に挿入したが、これに限定されない。例えば、塔状構造体１００の外壁面にＰＣ鋼線１３２，１３４を巻きつけてもよい。或いは、塔状構造体１００の壁面に設けられた溝にＰＣ鋼線１３２，１３４配置する構成であってもよい。
【００６２】
また、ＰＣ鋼線は螺旋状に配置されていなくてもよい。鉛直方向や周方向に配置されていてもよい。
【００６３】
また、上記実施形態では、塔状構造物である風力発電用タワーは、地盤上に構築されていたが、これに限定されない。例えば、海上に設置されていてもよい
【００６４】
また、風力発電用タワー以外の塔状構造物にも本発明を適用することができる。例えば、煙突、送電線塔、飛行場の管制塔、テレビ塔等の他の塔状構造物に本発明を適用することができる。更に所謂塔以外の構造物、例えば、柱、橋脚などにも本発明を適用することができる。つまり、「直立する塔状構造体」を用いた塔状構造物全般に本発明を適用することができる。
【００６５】
更に、直立する塔状構造体１００以外のプレストレス部材にも本発明を適用することができる。よって、つぎに、プレストレス部材の他の例として、梁に本発明を適用してプレストレスを導入する例を説明する。
【００６６】
図９に示すように、梁５００に配置されたシース管などの貫通孔（図示略）に左右方向に沿ってＰＣ鋼線１３５が挿入されている。なお、ＰＣ鋼線１３５は、梁５００に上向きの吊上げ力を発揮するように、下側に向かって凸状の放物線状に配置されている。
【００６７】
そして、ＰＣ鋼線１３５を振動装置２１０で振動させながら、ＰＣ鋼線１３５を緊張ジャッキ１３６で緊張力を付与することで、摩擦損失によるＰＣ鋼線１３５の引張力の減少が抑制される。つまり、ＰＣ鋼線１３５を振動させない場合と比べ、引張応力が大きくなり、梁５００に導入されるプレストレス及び吊り上げ力が大きくなる。
【００６８】
前述したように、図１１から、ＰＣ鋼線の角度変化が大きいところほど摩擦損失が大きくなることが判る。よって、角度変化の大きいところを振動させることで、効果的に摩擦損失を低減させることができる。
【００６９】
そして、本例では、図９に示すように、ＰＣ鋼線１３５の放物線の頂点部、つまり、変曲点Ｈ（又は変曲点Ｈの近傍）を振動させている。よって、他の部位を振動させる場合よりも、ＰＣ鋼線１３５の引張力の減少が抑制され、梁５００に導入されるプレストレス及び吊り上げ力が大きくなる。
【００７０】
また、図１０に示すように、ＰＣ鋼線１３５を連続した山と谷となるように湾曲させて配置されている場合も、変曲点Ｈ又はその近傍に振動装置２１０が配置することで、効果的にＰＣ鋼線１３５の引張力の減少が抑制される。
【００７１】
なお、図９及び図１０のように梁５００に本発明を適用する場合も、振動装置２１０でなく、図６〜図８に示す振動装置３００，３１０，３２０で振動させてもよいし、図５（Ｂ）のように緊張ジャッキ１３６を振動させてもよい。
【００７２】
また、上記実施形態及び実施例では、緊張材はＰＣ鋼線としたが、これに限定されない。ＰＣ鋼より線であってもよい。なお、ＰＣ鋼材を用いることが好ましいが、緊張力を確実に加えられれば（プレストレスを導入可能であれば）、ＰＣ鋼材以外の緊張材であってもよい。例えば、炭素繊維やビニロン繊維などの繊維材料であってもよい。また、複数の緊張材を継ぎ手等によって接続して一本の緊張材としてもよい。
【００７３】
尚、本発明は上記実施形態及び各実施例に限定されない。また、実施形態及び各実施例を組み合わせて用いてもよい。更に、本発明の要旨を逸脱しない範囲において、種々なる態様で実施し得ることは勿論である。
【符号の説明】
【００７４】
１００      塔状構造体（プレストレス部材）
１３２      ＰＣ鋼線（緊張材）
１３４      ＰＣ鋼線（緊張材）
１３５      ＰＣ鋼線（緊張材）
１３６      緊張ジャッキ（緊張力付与手段）
１３９      ジャッキ振動装置（振動手段）
２００      プレストレス導入装置
２１０      振動装置（振動手段）
３００      振動装置（振動手段）
３１０      振動装置（振動手段）
３２０      振動装置（振動手段）
５００      梁（プレストレス部材）
Ｈ      変曲点
【図１】
0005762144.tif 000002
【図２】
0005762144.tif 000003
【図３】
0005762144.tif 000004
【図４】
0005762144.tif 000005
【図５】
0005762144.tif 000006
【図６】
0005762144.tif 000007
【図７】
0005762144.tif 000008
【図８】
0005762144.tif 000009
【図９】
0005762144.tif 000010
【図１０】
0005762144.tif 000011
【図１１】
0005762144.tif 000012
【図１２】
0005762144.tif 000013